【手続補正書】
【提出日】平成30年9月27日(2018.9.27)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
サブフレーム内において、システム帯域幅の狭帯域サイズを表す第１の数の物理リソースブロック（ＰＲＢ）を占有する、ダウンリンクコントロールチャネルに関してモニタするための第１の探索空間を識別すること、および
前記サブフレームにおいて送信された前記ダウンリンクコントロールチャネルに関して少なくとも前記第１の探索空間をモニタすること
を備え、
前記第１の数のＰＲＢは、前記ダウンリンクコントロールチャネルに関して第２の探索空間によって占有された第２の数のＰＲＢよりも多く、また、前記ダウンリンクコントロールチャネルに関して第３の探索空間によって占有された第３の数のＰＲＢよりも多いことを特徴とする、方法。
【請求項２】
前記モニタすることは、
前記第１の数のＰＲＢに及ぶダウンリンクコントロールチャネル復号候補に関して前記第１の探索空間をモニタすること、および
前記第１の数のＰＲＢよりも少ない数のＰＲＢに及ぶダウンリンクコントロールチャネル復号候補に関して前記第２の探索空間または前記第３の探索空間のうちの少なくとも１つをモニタすること
を備える、請求項１に記載の方法。
【請求項３】
前記第１の探索空間は、前記第２の探索空間と第３の探索空間の組み合わせを備え、オプションで、
前記モニタすることは、前記第２の探索空間と前記第３の探索空間との両方におけるリソースを有する復号候補に関して前記第１の探索空間をモニタすることを備える、請求項１に記載の方法。
【請求項４】
前記ダウンリンクコントロールチャネルは、サブフレームのセットを利用して送信され、ここにおいて、前記サブフレームのセットは、２つ以上のサブフレームを備え、オプションで、
モニタすることは、前記サブフレームのセットをモニタすることを備え、および、ここにおいて、前記サブフレームのセットは、ネットワークから受信された表示に少なくとも部分的に基づいて決定される、請求項１に記載の方法。
【請求項５】
基地局（ＢＳ）によるワイヤレス通信のための方法であって、
サブフレーム内において、システム帯域幅の狭帯域サイズを表す第１の数の物理リソースブロック（ＰＲＢ）を占有する、ダウンリンクコントロールチャネルに関してモニタするための、ユーザ機器（ＵＥ）に関する第１の探索空間を識別すること、および
前記第１の探索空間において、前記ＵＥに、１つまたは複数のダウンリンクコントロールチャネルを送信すること
を備え、
前記第１の数のＰＲＢは、前記ダウンリンクコントロールチャネルに関して第２の探索空間によって占有された第２の数のＰＲＢよりも多く、また、前記ダウンリンクコントロールチャネルに関して第３の探索空間によって占有された第３の数のＰＲＢよりも多いことを特徴とする、方法。
【請求項６】
前記第２の探索空間によって占有された前記第２の数のＰＲＢは、１つ、２つ、または４つのＰＲＢを備える、請求項１または請求項５に記載の方法。
【請求項７】
前記送信することは、前記１つまたは複数のダウンリンクコントロールチャネルを、
前記第１の数のＰＲＢに及ぶダウンリンクコントロールチャネル復号候補に対応する前記第１の探索空間におけるリソース、または
前記第１の数のＰＲＢよりも少ない数のＰＲＢに及ぶダウンリンクコントロールチャネル復号候補に対応する前記第２の探索空間または前記第３の探索空間のうちの少なくとも１つにおけるリソース
を使用して、送信することを備える、請求項５に記載の方法。
【請求項８】
前記第１の数のＰＲＢは、６つのＰＲＢを備える、請求項１または請求項７に記載の方法。
【請求項９】
前記送信することは、
前記第１、第２、および第３の探索空間の各々の内のダウンリンクコントロールチャネル復号候補の複数の異なるセットに従って、前記１つまたは複数のダウンリンクコントロールチャネルを送信することを備える、請求項５に記載の方法。
【請求項１０】
前記第１の探索空間は、前記第２の探索空間と第３の探索空間の組み合わせを備え、オプションで、
前記送信することは、前記第２の探索空間と前記第３の探索空間との両方におけるリソースを有するダウンリンクコントロールチャネル復号候補を使用して、前記第１の探索空間において前記１つまたは複数のダウンリンクコントロールチャネルを送信することを備える、請求項５に記載の方法。
【請求項１１】
前記第１の探索空間は、単一のダウンリンクコントロールチャネル復号候補を備える、請求項１または請求項５に記載の方法。
【請求項１２】
送信することは、サブフレームのセットを使用して、前記１つまたは複数のダウンリンクコントロールチャネルを送信することを備え、ここにおいて、前記サブフレームのセットは、２つ以上のサブフレームを備え、オプションで、
送信することは、前記１つまたは複数のダウンリンクコントロールチャネルに関してモニタするための前記サブフレームのセットを示す表示を送信することを備える、請求項５に記載の方法。
【請求項１３】
前記狭帯域サイズのサイズは、前記ＵＥのカテゴリまたは前記ＵＥの性能のうちの少なくとも１つに基づく、請求項１または請求項５に記載の方法。
【請求項１４】
ユーザ機器（ＵＥ）によるワイヤレス通信のための装置であって、
サブフレーム内において、システム帯域幅の狭帯域サイズを表す第１の数の物理リソースブロック（ＰＲＢ）を占有する、ダウンリンクコントロールチャネルに関してモニタするための第１の探索空間を識別するための手段、および
前記サブフレームにおいて送信された前記ダウンリンクコントロールチャネルに関して少なくとも前記第１の探索空間をモニタするための手段、および
前記少なくとも１つのプロセッサに結合されたメモリ、
を備え、
前記第１の数のＰＲＢは、前記ダウンリンクコントロールチャネルに関して第２の探索空間によって占有された第２の数のＰＲＢよりも多く、また、前記ダウンリンクコントロールチャネルに関して第３の探索空間によって占有された第３の数のＰＲＢよりも多いことを特徴とする、装置。
【請求項１５】
基地局（ＢＳ）によるワイヤレス通信のための装置であって、
サブフレーム内において、システム帯域幅の狭帯域サイズを表す第１の数の物理リソースブロック（ＰＲＢ）を占有する、ダウンリンクコントロールチャネルに関してモニタするための、ユーザ機器（ＵＥ）に関する第１の探索空間を識別するための手段、および
前記第１の探索空間において、前記ＵＥに、１つまたは複数のダウンリンクコントロールチャネルを送信するための手段、および
前記少なくとも１つのプロセッサに結合されたメモリ、
を備え、
前記第１の数のＰＲＢは、前記ダウンリンクコントロールチャネルに関して第２の探索空間によって占有された第２の数のＰＲＢよりも多く、また、前記ダウンリンクコントロールチャネルに関して第３の探索空間によって占有された第３の数のＰＲＢよりも多いことを特徴とする、装置。
【請求項１６】
プロセッサによって実行されたとき、コンピュータに、請求項１−１３のうちのいずれか１項に記載の方法を実行させる命令を備えるコンピュータ読み取り可能な媒体。
【手続補正２】
【補正対象書類名】明細書
【補正対象項目名】００８７
【補正方法】変更
【補正の内容】
【００８７】
[0098]  本開示の先の説明は、当業者が本開示を製造または使用することを可能にするために提供される。本開示に対する様々な修正は、当業者にとって容易に明らかとなり、本明細書で定義された包括的な原理は、本開示の精神または範囲から逸脱することなしに他の変形例に適用され得る。よって、本開示は、本明細書で説明される例および設計に限定されるように意図されたものではなく、本明細書で開示された原理および新規の特徴と一致する最も広い範囲が付与されるべきである。
以下に本願発明の当初の特許請求の範囲に記載された発明を付記する。
［Ｃ１］
ユーザ機器（ＵＥ）によるワイヤレス通信のための方法であって、
サブフレーム内において、狭帯域サイズを表す第１の数の物理リソースブロック（ＰＲＢ）を占有する、ダウンリンクコントロールチャネルに関してモニタするための第１の探索空間を識別すること、および
前記サブフレームにおいて送信された前記ダウンリンクコントロールチャネルに関して少なくとも前記第１の探索空間をモニタすること
を備える、方法。
［Ｃ２］
前記第１の数のＰＲＢは、前記ダウンリンクコントロールチャネルに関して第２の探索空間によって占有された第２の数のＰＲＢよりも多く、また、前記ダウンリンクコントロールチャネルに関して第３の探索空間によって占有された第３の数のＰＲＢよりも多い、Ｃ１に記載の方法。
［Ｃ３］
前記第２の探索空間によって占有された前記第２の数のＰＲＢは、１つ、２つ、または４つのＰＲＢのうちの１つを備える、Ｃ２に記載の方法。
［Ｃ４］
前記モニタすることは、
前記第１の数のＰＲＢに及ぶダウンリンクコントロールチャネル復号候補に関して前記第１の探索空間をモニタすること、および
前記第１の数のＰＲＢよりも少ない数のＰＲＢに及ぶダウンリンクコントロールチャネル復号候補に関して前記第２の探索空間または前記第３の探索空間のうちの少なくとも１つをモニタすること
を備える、Ｃ２に記載の方法。
［Ｃ５］
前記第１の数のＰＲＢは、６つのＰＲＢを備える、Ｃ１に記載の方法。
［Ｃ６］
前記第１の探索空間は、前記第２の探索空間と第３の探索空間の組み合わせを備える、Ｃ２に記載の方法。
［Ｃ７］
前記モニタすることは、前記第２の探索空間と前記第３の探索空間との両方におけるリソースを有する復号候補に関して前記第１の探索空間をモニタすることを備える、Ｃ６に記載の方法。
［Ｃ８］
前記第１の探索空間は、単一のダウンリンクコントロールチャネル復号候補を備える、Ｃ１に記載の方法。
［Ｃ９］
前記ダウンリンクコントロールチャネルは、サブフレームのセットを利用して送信され、ここにおいて、前記サブフレームのセットは、２つ以上のサブフレームを備える、Ｃ１に記載の方法。
［Ｃ１０］
モニタすることは、前記サブフレームのセットをモニタすることを備え、および、ここにおいて、前記サブフレームのセットは、ネットワークから受信された表示に少なくとも部分的に基づいて決定される、Ｃ９に記載の方法。
［Ｃ１１］
前記狭帯域サイズは、より広いシステム帯域幅内にある、Ｃ１に記載の方法。
［Ｃ１２］
前記狭帯域サイズのサイズは、前記ＵＥのカテゴリまたは前記ＵＥの性能のうちの少なくとも１つに基づく、Ｃ１に記載の方法。
［Ｃ１３］
基地局（ＢＳ）によるワイヤレス通信のための方法であって、
サブフレーム内において、狭帯域サイズを表す第１の数の物理リソースブロック（ＰＲＢ）を占有する、ダウンリンクコントロールチャネルに関してモニタするための、ユーザ機器（ＵＥ）に関する第１の探索空間を識別すること、および
前記第１の探索空間において、前記ＵＥに、１つまたは複数のダウンリンクコントロールチャネルを送信すること
を備える、方法。
［Ｃ１４］
前記第１の数のＰＲＢは、前記ダウンリンクコントロールチャネルに関して第２の探索空間によって占有された第２の数のＰＲＢよりも多く、また、前記ダウンリンクコントロールチャネルに関して第３の探索空間によって占有された第３の数のＰＲＢよりも多い、Ｃ１３に記載の方法。
［Ｃ１５］
前記第２の探索空間によって占有された前記第２の数のＰＲＢは、１つ、２つ、または４つのＰＲＢを備える、Ｃ１４に記載の方法。
［Ｃ１６］
前記送信することは、前記１つまたは複数のダウンリンクコントロールチャネルを、
前記第１の数のＰＲＢに及ぶダウンリンクコントロールチャネル復号候補に対応する前記第１の探索空間におけるリソース、または
前記第１の数のＰＲＢよりも少ない数のＰＲＢに及ぶダウンリンクコントロールチャネル復号候補に対応する前記第２の探索空間または前記第３の探索空間のうちの少なくとも１つにおけるリソース
を使用して、送信することを備える、Ｃ１４に記載の方法。
［Ｃ１７］
前記第１の数のＰＲＢは、６つのＰＲＢを備える、Ｃ１６に記載の方法。
［Ｃ１８］
前記送信することは、
前記第１、第２、および第３の探索空間の各々の内のダウンリンクコントロールチャネル復号候補の複数の異なるセットに従って、前記１つまたは複数のダウンリンクコントロールチャネルを送信することを備える、Ｃ１４に記載の方法。
［Ｃ１９］
前記第１の探索空間は、前記第２の探索空間と第３の探索空間の組み合わせを備える、Ｃ１４に記載の方法。
［Ｃ２０］
前記送信することは、前記第２の探索空間と前記第３の探索空間との両方におけるリソースを有するダウンリンクコントロールチャネル復号候補を使用して、前記第１の探索空間において前記１つまたは複数のダウンリンクコントロールチャネルを送信することを備える、Ｃ１９に記載の方法。
［Ｃ２１］
前記第１の探索空間は、単一のダウンリンクコントロールチャネル復号候補を備える、Ｃ１３に記載の方法。
［Ｃ２２］
送信することは、サブフレームのセットを使用して、前記１つまたは複数のダウンリンクコントロールチャネルを送信することを備え、ここにおいて、前記サブフレームのセットは、２つ以上のサブフレームを備える、Ｃ１３に記載の方法。
［Ｃ２３］
送信することは、前記１つまたは複数のダウンリンクコントロールチャネルに関してモニタするための前記サブフレームのセットを示す表示を送信することを備える、Ｃ２２に記載の方法。
［Ｃ２４］
前記狭帯域サイズは、より広いシステム帯域幅内にある、Ｃ１３に記載の方法。
［Ｃ２５］
前記狭帯域サイズのサイズは、前記ＵＥのカテゴリまたは前記ＵＥの性能のうちの少なくとも１つに基づく、Ｃ１３に記載の方法。
［Ｃ２６］
ユーザ機器（ＵＥ）によるワイヤレス通信のための装置であって、
サブフレーム内において、狭帯域サイズを表す第１の数の物理リソースブロック（ＰＲＢ）を占有する、ダウンリンクコントロールチャネルに関してモニタするための第１の探索空間を識別し、および
前記サブフレームにおいて送信された前記ダウンリンクコントロールチャネルに関して少なくとも前記第１の探索空間をモニタする
ように構成された少なくとも１つのプロセッサ、および
前記少なくとも１つのプロセッサに結合されたメモリ、
を備える、装置。
［Ｃ２７］
基地局（ＢＳ）によるワイヤレス通信のための装置であって、
サブフレーム内において、狭帯域サイズを表す第１の数の物理リソースブロック（ＰＲＢ）を占有する、ダウンリンクコントロールチャネルに関してモニタするための、ユーザ機器（ＵＥ）に関する第１の探索空間を識別し、および
前記第１の探索空間において、前記ＵＥに、１つまたは複数のダウンリンクコントロールチャネルを送信する
ように構成された少なくとも１つのプロセッサ、および
前記少なくとも１つのプロセッサに結合されたメモリ、
を備える、装置。